(57)【要約】【課題】耐光性に優れて色彩豊かな図柄等が形成された文字板を備えてなる小ロットの時計を合理的に提供することを目的としている。【解決手段】本発明にかかる時計１は、時計機械体３により駆動されて時刻を示す指針４，５と、該指針４，５を支持する指針軸１１，１２が貫通する文字板台１３と、前記指針軸１１，１２が貫通して前記文字板台１３の表面上に貼着される文字板表示シート１４とを備えている。そして、前記文字板表示シート１４は、前記指針４，５の先端部の軌跡円範囲を包含する広さとされた前後の２層構造を有しており、前面シート１５は透明で紫外線遮断作用を有するものである一方、後面シート１６は前記前面シート１５と接する表面上に耐光性を有するインクによる文字及び図柄がカラー印刷されたものであることを特徴とする。【選択図】　図３
2004144677.tif 000002
【特許請求の範囲】
【請求項１】
時計機械体により駆動されて時刻を示す指針と、該指針を支持する指針軸が貫通する文字板台と、前記指針軸が貫通して前記文字板台の表面上に貼着される文字板表示シートとを備えた時計であって、
前記文字板表示シートは前記指針の先端部の軌跡円範囲を包含する広さとされた前後の２層構造を有しており、前面シートは透明で紫外線遮断作用を有するものである一方、後面シートは前記前面シートと接する表面上に耐光性を有するインクによる文字及び図柄がカラー印刷されたものであることを特徴とする時計。
【請求項２】
前記文字板台は傾斜した見返り部と平坦な底面部とを具備しており、前記文字板表示シートは前記底面部の表面上に貼着されていることを特徴とする請求項１に記載した時計。
【請求項３】
前記文字板表示シートの前面側には時計枠で支持された前面カバーが配設されており、該前面カバーは透明で紫外線遮断作用を有するものであることを特徴とする請求項１または請求項２に記載した時計。
【請求項４】
前記前面カバーは、透明なガラス板またはプラスチック板の表面上に紫外線遮断作用を有する透明シートを貼着したものであることを特徴とする請求項３に記載した時計。
【発明の詳細な説明】
【０００１】
【発明の属する技術分野】
本発明は時計にかかり、特には、色彩豊かな文字板を備えて構成された時計に関する。
【０００２】
【従来の技術】
従来から、公共施設等で使用される大型の設備時計は、時計機械体により駆動されて時刻を示す指針と、回転する指針の後側に配設された文字板と、これらが収納された時計枠と、時計枠の前側に配設された前面カバー等を備えているのが一般的である（例えば、特許文献１及び特許文献２参照）。
【０００３】
そして、このような時計が備える文字板のうちには、アルミニウム板や黄銅板等をプレスによって打ち抜き加工した後、その表面上にスクリーン印刷でもって文字や数字等を印刷して表示したり、レーザー加工によって文字や数字等を彫刻したりして作製されるものがある（例えば、特許文献３参照）。
【０００４】
【特許文献１】
実公昭６３−６７１３号公報
【０００５】
【特許文献２】
特開２０００−１１１６７４号公報
【０００６】
【特許文献３】
特開昭６２−１３７１９０号公報
【０００７】
【発明が解決しようとする課題】
ところで、近年、幼稚園や子供病院のような子供向けの公共施設等に設置される時計にあっては、その設置場所に相応しい文字や図柄、例えば、動物や花等のような雰囲気を和ませて不要な緊張感を解きほぐす色彩豊かな図柄等を形成することが要望されている。しかしながら、前記した従来の形態にかかる時計には、このような要望に応え得る技術の開示がなく、レーザー加工でもって任意の文字や数字等を彫刻する方法を採用しても、色彩豊かな文字板を小ロットで作製することはできないのが実状である。
【０００８】
一方、スクリーン印刷によっては、時刻目盛り等の文字や数字、あるいは、模様等の版下を作製したうえで印刷するので、同一意匠の文字板を大ロットで生産するには好適とされる。しかし、スクリーン印刷では、色ごとのスクリーン版を作製して色ごとに印刷する必要がある、つまり、ある色を印刷し、その乾燥後に他の色を重ねて印刷することが繰り返されるため、印刷工程回数が多くなり、小ロットで色彩豊かな文字板の生産には適しない。また、色ごとに印刷するスクリーン印刷である限り、印刷ずれが発生する可能性もある。
【０００９】
さらに、文字板を小ロットで作製するに際しては、カッティングシートを貼合せて図柄等を形成することも考えられるが、色彩豊かな図柄等を形成するには、色ごとのカッティングシートを作製して貼合せる工程が必要となるため、多大な工数が必要となり、合理的でない。また、このようなカッティングシートの貼合せによっては、色彩や濃淡が徐々に変化する構成とされた色彩豊かな図柄等を形成することが非常に困難である。
【００１０】
なお、特許文献２で掲げた発明には、照射される紫外線量を積極的に計測し、紫外線量を監視することを特徴とする時計が開示されている。しかし、以下に説明する本発明にかかる時計は、紫外線を積極的に排除することを特徴とする技術であり、特許文献２の発明とはまったく関わりのない技術である。
【００１１】
本発明はこのような事情に鑑みて創案されたものであり、耐光性に優れて色彩豊かな図柄等が形成された文字板を備えてなる小ロットの時計を合理的に提供することを目的としている。
【００１２】
【課題を解決するための手段】
請求項１記載の発明にかかる時計は、時計機械体により駆動されて時刻を示す指針と、該指針を支持する指針軸が貫通する文字板台と、前記指針軸が貫通して前記文字板台の表面上に貼着される文字板表示シートとを備えたものであって、前記文字板表示シートは前記指針の先端部の軌跡円範囲を包含する広さとされた前後の２層構造を有しており、前面シートは透明で紫外線遮断作用を有するものである一方、後面シートは前記前面シートと接する表面上に耐光性を有するインクによる文字及び図柄がカラー印刷されたものであることを特徴とする。
【００１３】
請求項２記載の発明にかかる時計は請求項１に記載したものであって、前記文字板台は傾斜した見返り部と平坦な底面部とを具備しており、前記文字板表示シートは前記底面部の表面上に貼着されていることを特徴とする。
【００１４】
請求項３記載の発明にかかる時計は請求項１または請求項２に記載したものであって、前記文字板表示シートの前面側には時計枠で支持された前面カバーが配設されており、該前面カバーは透明で紫外線遮断作用を有するものであることを特徴とする。
【００１５】
請求項４記載の発明にかかる時計は請求項３に記載したものであり、前記前面カバーは、透明なガラス板またはプラスチック板の表面上に紫外線遮断作用を有する透明シートを貼着したものであることを特徴とする。
【００１６】
【発明の実施の形態】
図１〜図５は本発明の請求項１〜３に対応する実施の形態１を示し、図６及び図７は請求項４に対応する実施の形態２をそれぞれ示している。
［実施の形態１］
図１は実施の形態１にかかる時計をその前方側から見た状態を示す斜視図、図２は実施の形態１にかかる時計をその後方側から見た状態を示す斜視図であり、図３は実施の形態１にかかる時計の全体構造を示す断面図である。また、図４は実施の形態１にかかる時計の要部構造を拡大して示す断面図であり、図５はその時計が備えている文字板表示シートの要部構造を拡大して示す説明図である。
【００１７】
実施の形態１にかかる時計１は、幼稚園や子供病院のような公共施設等で使用されるものであり、その屋外や室内における壁面２の所定位置に掛け止めして支持されることになっている。この時計１は、図１〜図４でそれぞれ示すように、時計機械体３により駆動されて時刻を示す指針である時針４及び分針５と、少なくとも分針５の先端部の軌跡円範囲を包含する広さとされた文字板６と、これらを収納してなる時計枠７と、時計枠７で支持されて文字板６の前面側に配設された前面カバー８とを備えている。
【００１８】
そして、この時計１が備える文字板６は、時針４及び分針５をそれぞれ支持する時針軸１１及び分針軸１２が貫通する文字板台１３と、時針軸１１及び分針軸１２が貫通して文字板台１３の表面上に貼着される文字板表示シート１４とから構成されている。また、ここでの文字板台１３は、略皿形状とされることに伴って傾斜した見返り部１３ａと平坦な底面部１３ｂとを具備しており、文字板表示シート１４は文字板台１３の底面部１３ｂの表面上に貼着されている。
【００１９】
さらに、文字板表示シート１４は、少なくとも分針５の先端部の軌跡円範囲を包含する広さとされた前後の２層構造を有している。そして、その前面シート１５は透明で紫外線遮断作用を有するものである一方、その後面シート１６は前面シート１５と接する表面上に耐光性を有するインクからなる時刻目盛り等の文字や任意の模様等である図柄がカラー印刷されたものとなっている。
【００２０】
この文字板表示シート１４は、具体的には、図５で要部構造を示すように、オーバーラミネートフィルム１７と、着色されたトナー層（ＣＭＹＫ）１８と、レセプターフィルム１９とから構成されたものであり、オーバーラミネートフィルム１７は、前面シート１５となる表面特殊保護層と、トナー層１８に被着される粘着層２１とを具備している。そして、レセプターフィルム１９は、後面シート１６となる樹脂フィルム層と、粘着層２２と、剥離紙２３とを具備しており、剥離紙２３を剥離した後の粘着層２２によって文字板表示シート１４は全体として文字板台１３の底面部１３ｂの表面上に貼着される。
【００２１】
また、ここでのトナー層１８は、インクジェット印刷装置等を使用することによって耐光性を有するインクがレセプターフィルム１９の樹脂フィルム層、つまり、後面シート１６の表面上にカラー印刷されたものであり、時刻目盛り等の文字や数字、任意の模様等である図柄を形成している。なお、このような文字板表示シート１４の具体例としては、住友スリーエム株式会社製のスコッチプリント（登録商標）イメージグラフィクスが挙げられる。
【００２２】
また、文字板６が大形状となる場合には、文字板表示シート４を分割して形成し、この分割された形状の複数枚の文字板表示シート４を文字板台１３に貼着してもよい。例えば、文字板６が大きな円形状である場合、半円形状の二枚の文字板表示シート４を文字板台１３に貼着してもよい。このように文字板表示シート４を小さな分割サイズとすることで、小型のインクジェット印刷装置であってもこれを有効に活用して、同文字板表示シート４におけるカラー印刷を施すことが可能となる。
【００２３】
したがって、本実施の形態にかかる構成では、文字板台１３に貼着される文字板表示シート１４のレセプターフィルム１９の後面シート１６となる樹脂フィルム層の表面上に文字や図柄をカラー印刷し、オーバーラミネートフィルム１７の前面シート１５となる表面特殊保護層でもってカラー印刷された文字や図柄を被覆しているので、耐光性に優れた色彩豊かな文字板６が構成される。なお、この際においては、時刻の読取りが容易な時刻目盛り等の文字が形成されると共に、設置場所に相応しい図柄、例えば、動物や花等のような雰囲気を和ませて不要な緊張感を解きほぐす色彩豊かな図柄が形成されることになり、その場に溶け込み易くして安心感を与えたり、話題を提供したりすることが考慮される。
【００２４】
さらに、時計１が備えている時計枠７はステンレスやアルミニウム等の金属、あるいは、ＡＢＳ樹脂やスチロール等のプラスチックから作製されており、前面カバー８は透明性の高いガラス板またはプラスチック板から作製されている。そして、この際における前面カバー８では、紫外線遮断作用を発揮する表面加工を施したり、紫外線吸収剤を混練した素材を用いて作製したりすることが実行されており、この前面カバー８は透明で紫外線遮断作用を有するものとなっている。
【００２５】
なお、図１〜図４における符号２５は機械体止めナット、２６は分針止めナット、２７は機械体カバー、２８は防水パッキンであり、機械体止めナット２５によって時計機械体３が文字板台１３に固定されている。そして、時計機械体３の時針軸１１には圧入によって時針４が固定されており、時計機械体３の分針軸１２には分針止めナット２６によって分針５が固定されている。また、時計機械体３は防水パッキン２８を挟んだうえで機械体カバー２７によって覆われた状態となっており、水滴等の侵入を防止する防雨構造が構成されている。
【００２６】
さらに、図１〜図４における符号３０は時計枠パッキン、３１は文字板押え金具であり、前面カバー８を挟み込んだ時計枠パッキン３０を時計枠７と文字板台１３との間に配置し、文字板押え金具３１でもって文字板台１３を時計枠７の開口側へと押付けることにより、時計１の前面側から水等が浸入するのを防止する防雨構造が構成されている。さらにまた、図１〜図４における符号３２は時計掛け金具、３３は時計掛け軸であり、後面側に時計掛け金具３２が取り付けられた時計１は時計掛け軸３３を利用したうえで壁面２に固定される。
［実施の形態２］
図６は実施の形態２にかかる時計の全体構造を示す断面図であり、図７はその要部構造を拡大して示す断面図である。なお、実施の形態２にかかる時計の全体構造及び要部構造、文字板の構成や文字板台の形状、文字板表示シートの構成、時計枠や前面カバーの材質等は、前面カバーの構成に関わる点を除き、実施の形態１と基本的に異ならないので、ここでの詳しい説明は省略する。なお、図６及び図７において、図１〜図４と互いに同一となる部品、部分には同一符号を付している。
【００２７】
実施の形態２にかかる時計１は、実施の形態１と同様、時計機械体３により駆動されて時刻を示す時針４及び分針５と、少なくとも分針５の先端部の軌跡円範囲を包含する広さとされた文字板６と、これらを収納してなる時計枠７と、時計枠７で支持されて文字板６の前面側に配設された前面カバー８とを備えている。
そして、ここでの前面カバー８は、透明性の高いガラス板またはプラスチック板から作製されているものの、図６及び図７で示すように、その表面上に紫外線遮断作用を有する透明シート３５が密着した状態で貼着されている。
【００２８】
すなわち、本実施の形態にかかる時計１が備えている前面カバー８は、表面加工を施したり、紫外線吸収剤を混練した素材を用いたりして作製されたものではなく、紫外線遮断作用を有する透明シート３５を透明性の高いガラス板またはプラスチック板に貼付けたものである。なお、このような透明シート３５の具体例としては、基材に紫外線吸収剤が混練されており、その片面側に接着剤層が形成されてなるリンテックス株式会社製のルミクール（登録商標）１５０１が挙げられる。
【００２９】
また、透明シート３５を前面カバー８の表面上に貼着している場合には、時計１に対して外力が加わり、結果として前面カバー８が破損することがあっても、破損したガラス等が飛散することは透明シート３５によって有効に防止される。
さらに、透明シート３５が貼着されていれば、時計枠パッキン３０がなくても、透明シート３５を介したうえで前面カバー８が文字板押え金具３１によって金属製等の時計枠７へと押付けられた構造となるため、前面カバー８が文字板押え金具３１の押付け力を受けて破損したり、時計１の輸送中に生じた衝撃等によって前面カバー８が破損したりするのを防止することが可能になるという利点も確保される。
【００３０】
ところで、実施の形態２にかかる構造を実現するに際しては、前面カバー８の外周縁よりも小さめで時計枠７の開口部よりも大きめとされた比較的厚めの透明シート３５を用意し、この透明シート３５の接着面を前面カバー８の表面上に当てつけるようにして貼着する作業を行うことが好ましい。このようにすれば、透明シート３５貼着の作業性を向上させることが可能であると共に、前面カバー８を時計枠パッキン３０で挟み込むときに透明シート３５がはみ出すことがなく、この透明シート３５が時計枠７の内側部分に当接することが起こらないため、透明シート３５に不要なしわを発生させる恐れがないという利点が確保される。
【００３１】
【発明の効果】
請求項１〜請求項３記載の構成とされた時計であれば、耐光性に優れて色彩豊かな図柄等が形成された文字板を備えてなる小ロットの時計を合理的に提供することができるという効果が得られる。従って、子供向けの公共施設等のような設置場所に相応しい文字や図柄が形成された時計を安価に供給することが可能となり、その雰囲気を和ませて不要な緊張感を解きほぐすという要望に応えることが容易となる。
【００３２】
また、請求項４記載の構成とされた時計にあっては、上記した効果だけではなく、外力が加わる結果として前面カバーが破損することがあっても、破損したガラス等が飛散することを有効に防止できるという効果が得られる。さらに、このような構成であれば、前面カバーが文字板押え金具の押付け力を受けて破損したり、時計の輸送中に生じた衝撃等によって前面カバーが破損したりすることを防止することも可能になる。
【図面の簡単な説明】
【図１】実施の形態１にかかる時計をその前方側から見た状態を示す斜視図である。
【図２】実施の形態１にかかる時計をその後方側から見た状態を示す斜視図である。
【図３】実施の形態１にかかる時計の全体構造を示す断面図である。
【図４】実施の形態１にかかる時計の要部構造を拡大して示す断面図である。
【図５】実施の形態１にかかる時計が備えている文字板表示シートの要部構造を拡大して示す説明図である。
【図６】実施の形態２にかかる時計の全体構造を示す断面図である。
【図７】実施の形態２にかかる時計の要部構造を拡大して示す断面図である。
【符号の説明】
１　　時計
３　　時計機械体
４　　時針（指針）
５　　分針（指針）
７　　時計枠
８　　前面カバー
１１　　時針軸
１２　　分針軸
１３　　文字板台
１３ａ　見返り部
１３ｂ　底面部
１４　　文字板表示シート
１５　　前面シート
１６　　後面シート
３５　　透明シート
【図１】
2004144677.tif 000003
【図２】
2004144677.tif 000004
【図３】
2004144677.tif 000005
【図４】
2004144677.tif 000006
【図５】
2004144677.tif 000007
【図６】
2004144677.tif 000008
【図７】
2004144677.tif 000009